(57)【要約】
【課題】　　　枕によって頭と首は勿論、肩口もカバーすることができ、使用者の安眠を助長する枕を開発することをその課題とする。
【解決手段】　枕布(1)と、枕布(1)の内部に充填された詰め物(7)とで構成された略厚手長方形状のもので、その長辺(10)(11)がなだらかに凹湾曲状に形成されており、その中央部分(12)の厚み(T1)がその両側の部分(13)(13)よりわずか薄く形成されていることを特徴とするもので、これにより、仰向けに寝て枕(A)の中央に頭を乗せたとき、後頭部から首にかけての部分全体が枕(A)に接触して柔らかく支持され且つ枕(A)の長辺(10)又は(11)の両端部分(13)のなだらかに凸湾曲している部分(14)(14)が両肩に軽く接触し、首の付け根から両肩にかけての部分を枕(A)が覆うようになる。その結果、首から肩にかけての部分の安定感が高まり安眠を誘う。
【選択図】　　　　図１
0003100315.tif 000002
【実用新案登録請求の範囲】
【請求項１】
袋状の枕布と、枕布の内部に充填された詰め物とで構成された厚手略長方形状のもので、その中央部分の厚みがその両側の部分よりわずか薄く形成され、その長辺がなだらかに凹湾曲状に形成されていることを特徴とする枕。
【請求項２】
枕布が表面側布、裏面側布および周囲を覆う側面布とで構成されており、少なくとも表面側布または裏面側布を、内部にマイナスイオン発生綿を充填したキルティング布で形成したことを特徴とする請求項１に記載の枕。
【請求項３】
枕布が表面側布、裏面側布および周囲を覆う側面布とで構成されており、少なくとも表面側布または裏面側布を、内部に多孔質材料含有綿を充填したキルティング布で形成したことを特徴とする請求項１に記載の枕。
【請求項４】
枕布が表面側布、裏面側布および周囲を覆う側面布とで構成されており、少なくとも表面側布または裏面側布を、内部に遠赤外線発生材料含有綿を充填したキルティング布で形成したことを特徴とする請求項１に記載の枕。
【請求項５】
枕布が表面側布、裏面側布および周囲を覆う側面布とで構成されており、少なくとも表面側布または裏面側布を、内部に抗菌材料含有綿を充填したキルティング布で形成したことを特徴とする請求項１に記載の枕。
【請求項６】
詰め物が、多孔質材料含有綿、遠赤外線発生材料含有綿又は抗菌材料含有綿の少なくともいずれか１で形成されていることを特徴とする請求項１〜５のいずれかに記載の枕。
【考案の詳細な説明】
【技術分野】
【０００１】
　本考案は、就寝時に肩口にフィットし、付加的にはマイナスイオンを供給する新規な安眠快適枕に関する。
【背景技術】
【０００２】
　従来、就寝時の快適さを求めてこれまでに多数の枕が研究されてきた。たとえば、実開平７-４４１５５号公報に記載された枕は、大・中・小の三つの袋からなり、枕の使用者が自分の体形に合致した頚椎に頭の支持高さを調節できるようにし快適な安眠が得られるようにしたものである。
【０００３】
　実開平７-３９６３９号公報に記載された枕は、３個の空気室を用意し、各空気室の空気量を調節することにより枕の形状や高さを微細に調節し、対位が上向きであっても横向きであっても満足の得られる枕を提供するものである。
【０００４】
　実開平５-７４９６３号公報に記載された枕は、枕本体の上部に配置した頭部載置部と、多数の粒体を収納した主バッグとを有し、該バッグの断面形状変化により頭部載置部の高さを調節不可能としたものである。
【０００５】
　実開平７-３９６３７号公報に記載された枕は、ひとつの長方形の袋体を作り、その袋体の中央部に両端を開けて立体的なマチを縫い上げ、その袋体に硬質の詰物を充填し、片側を高く、もう片側を低く設定し、高い袋体に頚部を、低い部分に頭を置くという物で、安眠機能・健康増進機能向上を目的とした枕である。
【０００６】
　実開平５-６８４８４号公報に記載された枕は、袋状に形成された枕布の内部に独立固体充填材を収容した枕であって、枕布の内部に複数の仕切り布を縦横に設けて枕内部を複数の独立区分に分割し、独立区分間で充填材の移動が抑制されるようにしたもので、頭部載置面が大きく且つ平均的な高さを保持することができ、頭によく馴染んで使用感に優れた枕である。
【０００７】
　実開平７-３０８３２号公報に記載された枕は、外袋にパイル生地を使用し、中袋に網目の生地を使用し、充填材として円筒の短いパイプを使用したもので、自分の頭の高さに簡単に調節できるようにすることで頭への馴染みを改善し、安眠を得ようとするものである。
【０００８】
　実開平５-６２９２８号公報に記載された枕は、枕の中央部に横支えと縦支えとを設け、枕の左右と中央下部が高く、中央上部を低く形成することにより、枕の首部分と頭部分に高低差を設け、仰向きの状態では首を指圧し、またいびきをかきにくくし、横向きの状態では首が回らず自然な状態で安眠できるようにしたものである。
【特許文献１】実開平７-４４１５５号公報
【特許文献２】実開平７-３９６３９号公報
【特許文献３】実開平５-７４９６３号公報
【特許文献４】実開平７-３９６３７号公報
【特許文献５】実開平５-６８４８４号公報
【特許文献６】実開平７-３０８３２号公報
【特許文献７】実開平５-６２９２８号公報
【考案の開示】
【考案が解決しようとする課題】
【０００９】
　以上に示した本考案は、いずれも安眠を希求するものであるが、頭や首に対する高さを変えてそのフィット性を追求するものばかりであり、枕に対する肩口と頭の関係や、寝返りをうった時の肩と頭の関係に配慮した枕がこれまでなかった。特に、冬場において、肩口が開くと冷たい夜気が肩口にあたり、肩を冷やして安眠を妨げるという点が見過ごされていた。
【００１０】
　本考案はこれら従来例の問題点に鑑みてなされたもので、枕に対する頭と首との関係は勿論、肩口もカバーすることができる先進の枕を開発することをその課題とするものである。なお、付加的に枕からマイナスイオンを周囲に供給して使用者の安眠を助長することもその課題とするものである。
【課題を解決するための手段】
【００１１】
　本考案の請求項１にかかる枕(A)は「袋状の枕布(1)と、枕布(1)の内部に充填された詰め物(7)とで構成された厚手略長方形状のもので、その中央部分(12)の厚み(T1)がその両側の部分(13)(13)よりわずか薄く形成され、その長辺(10)(11)がなだらかに凹湾曲状に形成されている」ことを特徴とする。
【００１２】
　これにより、仰向けに寝て枕(A)の中央に頭を乗せたとき、頭の重みで枕(A)の中央部分(12)が沈み込み、後頭部から首にかけての部分全体が枕(A)に接触して柔らかく支持され且つ枕(A)の長辺(10)又は(11)の両端部分(13)のなだらかに凸湾曲している部分(14)(14)が両肩に軽く接触し、首の付け根から両肩にかけての部分を枕(A)が覆うようになる。その結果、首から肩にかけての部分の安定感が高まり且つ冷たい夜気が肩口に侵入せず安眠を誘う。
【００１３】
　また、枕(A)の中央部分(12)の厚みがその両側の部分(13)(13)よりわずかに薄く形成されているので、(換言すれば、両側部分(13)(13)の方が若干高いので、)寝返りを打ちやすく、また、寝返りをうった時、頭を乗せた方の端部分(13)の厚み(T2)が肩の高さとほぼ等しく、その結果、頭の位置が若干高くなって頭が沈み込まず(換言すれば、ほぼ水平に保たれ)、横向きの状態でも安眠を得ることができる。
【００１４】
　請求項２は前記枕(A)の枕布(1)の第１例で「枕布(1)が表面側布(a)、裏面側布(b)および周囲を覆う側面布(c)とで構成されており、少なくとも表面側布(a)または裏面側布(b)を、内部にマイナスイオン発生綿(3)を充填したキルティング布(K)で形成した」ことを特徴とする。
【００１５】
　内部にマイナスイオン発生材料(3)が充填されたキルティング布(K)を用いているので、睡眠時に頭の周囲からマイナスイオンが絶えず発生し、これが睡眠中に使用者に知らず知らずのうちに吸収され、使用者の精神を鎮めて深い眠りを与え、心地よい目覚めをもたらすことになる。
【００１６】
　請求項３〜５は前記枕(A)の枕布(1) の第２〜４例で「枕布(1)が表面側布(a)、裏面側布(b)および周囲を覆う側面布(c)とで構成されており、少なくとも表面側布(a)または裏面側布(b)を、内部に多孔質材料含有綿(31)、遠赤外線発生材料含有綿(32)又は抗菌材料含有綿(33)を充填したキルティング布(K)で形成した」ことを特徴とする。
【００１７】
　多孔質材料含有綿(31)の場合は、たとえば炭のような多孔質材料の微粉が合成樹脂綿に練り込まれたもので、消臭効果と遠赤外線発生効果とを奏する。遠赤外線発生材料含有綿(32)はたとえばセラミックス微粉や前述の炭化物の微粉など遠赤外線を発生させる素材が合成樹脂綿に練り込まれたものである。抗菌材料含有綿(33)はたとえば銀系の抗菌素材を合成樹脂綿に練り込んだものやカテキンのような抗菌剤を染み込ませたものなどが該当する。
【００１８】
　請求項６は前記多孔質材料含有綿(31)、遠赤外線発生材料含有綿(32)又は抗菌材料含有綿(33)の少なくともいずれか１が詰め物(7)として使用されている場合で、前述と同様の作用効果を奏する。
【考案の効果】
【００１９】
　本考案の枕は、上記のような構成であるから、首の付け根から肩口の周りを枕の長辺部分でカバーすることができ、仰向きで寝たときの頭の安定化に優れ、冷たい夜気の侵入も防止できて安眠が保証される。また、枕の両側部分が中央部分より若干高くなっているので、寝返りを打ち易く、しかも寝返り打った時でも頭が下がらず、横向きの状態でも安眠を得ることができる。また、マイナスイオン発生材料を表・裏面側布内に充填することで、就寝中にマイナスイオンを吸収することができ、快適な目覚めを保証することができる。
【考案を実施するための最良の形態】
【００２０】
　以下、本考案の枕(A)を図示実施例に従って説明する。枕(A)は枕布(1)と、枕布(1)の内部に充填された詰め物(7)とで構成されており、その形状は図１に示すように略厚手長方形状のものである。その長辺(10)(11)はなだらかに凹湾曲状に形成されており、その中央部分(12)の厚み(T1)がその両側の部分(13)(13)の厚み(T2)よりわずか薄く形成されている。中央部分(12)の長手方向に形成された２本の線(15)は、中央部分(12)を縫い込んだ縫込み線で、これにより中央部分(12)の厚みが両側部分(13)(13)より若干薄く形成されることになる。勿論、後述する詰め物(7)が発泡単体の場合、詰め物(7)そのものを枕(A)の所定の形状に形成しておいてもよい。
【００２１】
　枕布(1)は、表面側布(a)、裏面側布(b)および側面布(c)とが縫い合わされて前記所定形状に形成されている。表面側布(a)、裏面側布(b)および側面布(c)は表面が起毛された通常の柔らかい布或いは表面側布(a)及び/又は裏面側布(b)に、内部にマイナスイオン発生材料(3)、多孔質材料含有綿(31)、遠赤外線発生材料含有綿(32)又は抗菌材料含有綿(33)を充填したキルティング布(K)が使用される。
【００２２】
　後者のマイナスイオン発生材料(3)としては、例えば、摩擦や振動によりマイナスイオンを発生させる多孔質ミネラルを配合したポリエステルを主成分とする綿が使用され、キルティング布(K)の外面布(2)と内面布(4)との間に充填されている。
【００２３】
　多孔質材料含有綿(31)は、前述のようにたとえば備長炭(備長炭に限られず、竹炭でもよいし、ヤシ殻活性炭のようなものでもよく、多孔質材料であれば足る)のような多孔質材料の微粉が合成樹脂綿(たとえば、ポリエステル綿)に練り込まれたもので、消臭効果と遠赤外線発生効果とを奏する。特に竹炭は最近注目されており、孔径が大きいものからナノ程度の超微細なものまで存在しており、分子量の大なる発臭分子から分子量の小さい発臭分子まで広範囲な捕集作用を有しており、幅広い消臭効果を発揮する。
【００２４】
　遠赤外線発生材料含有綿(32)はたとえばセラミックス微粉や前述の炭化物(炭)の微粉など遠赤外線を発生させる素材が合成樹脂綿(たとえば、ポリエステル綿)に練り込まれたものである。抗菌材料含有綿(33)はたとえば銀系の抗菌素材を合成樹脂綿(たとえば、ポリエステル綿)に練り込んだものやカテキンのような抗菌剤を染み込ませたものなどが該当する。これらの作用により、睡眠中の疲労回復や安眠が確保される。
【００２５】
　請求項６は前記多孔質材料含有綿(31)、遠赤外線発生材料含有綿(32)又は抗菌材料含有綿(33)の少なくともいずれか１が詰め物(7)として使用されている場合で、前述と同様の作用効果を奏する。
【００２６】
　詰め物(7)は、通常の綿又は前記マイナスイオンを発生させる綿、軟質チューブを短く切断したパイプ、そば殻その他粒状体などで形成してもよいし、ウレタン発泡部材をモールド成形により前記所定形状に形成してもよい。前者のような不定形の素材を詰め物(7)として用いる場合、枕布(1)が本考案の形状となるように縫い合わされ、内部に詰め物(7)が程よい硬さと弾力性を有する状態で詰め込まれる。後者の場合は、裏面側布(b)或いは側面布(c)に開口部(図示せず)が形成され、そこから所定形状に形成された発泡詰め物(7)が挿脱される。開口部にはチャック(図示せず)が縫着されており、詰め物(7)を充填した後、チャックにて閉塞される。
【００２７】
　次にその使用方法について説明する。まず、使用者が布団やベッドに上に仰向けに寝て枕(A)の中央に頭を乗せる。これにより、頭の重みで枕(A)の中央部分(12)が沈み込み、後頭部から首にかけての部分全体が枕(A)に接触して柔らかく支持され且つ枕(A)の長辺(10)又は(11)の両端部分(13)のなだらかに凸湾曲している部分(14)(14)が両肩に軽く接触し、首の付け根から両肩にかけての部分が枕(A)にて覆われる。その結果、首から肩にかけての部分の安定感が高まる。
【００２８】
　頭に接する表面側布(a)や内部の詰め物(7)にマイナスイオンを発生させる綿を使用している場合、頭を枕(A)上で動かすとそのマイナスイオン発生材料(3)を構成する繊維同士の摩擦や振動でマイナスイオンが発生し、表面側布(a)や裏面側布(b)を通って枕(A)の周囲に放出される。キルティング布(K)を使用した場合、キルティング糸(5)が縫われた糸穴(6)からマイナスイオンが放出されやすくなる。使用者は睡眠中にこのマイナスイオンを呼吸や皮膚から体内に取り込み、心身がリラックスして熟睡するようになる。
【００２９】
　同様に孔質材料含有綿(31)を使用している場合は、これから遠赤外線が放射される頭部の皮膚を刺激して睡眠中に肌に活力とツヤを与える。また、この孔質材料含有綿(31)に練り込まれた多孔質材料によって枕(A)とその周辺の臭いが吸着され、枕(A)を無臭の快適な状態に保つことができる。セラミックス微粉を使用した遠赤外線発生材料含有綿(32)は、遠赤外線に関しては前述の場合と同じである。抗菌材料含有綿(33)を用いれば、枕(A)の表面に付着した細菌やカビなど殺すので、消臭効果は勿論、衛生面でも優れた効果を発揮する。
【００３０】
　また、人は睡眠中に何度も寝返りを打つことが知られている。この枕(A)の場合、枕(A)の中央部分(12)の厚み(T1)がその両側部分(13)(13)の厚み(T2)よりわずかに薄く形成されているので、ベッドや布団の上に置かれた場合、中央部分(12)から両側部分(13)(13)向けてなだらかに若干高くなる。そのため使用者が寝返り打ちやすいだけでなく、使用者が寝返りをうって頭が一方の端部分(13)に転動した時(中央部(12)から両端部分(13)(13)へはなだらかな曲線で結ばれているので、寝返りを打ったとき頭がスムーズに転動する)、頭を乗せた方の端部分(13)の厚み(T2)が肩の高さとほぼ等しく、その結果、頭の位置が若干高くなって頭が沈み込まず、横向きの状態でも安眠を得ることができる。
【００３１】
　以上のように、本考案の枕(A)にあっては、枕(A)の長辺(10)又は(11)の凹湾曲ラインにより仰向けに寝た時の頭の安定性に優れ、肩口が長辺(10)又は(11)の両端の凸湾曲部分(14)により覆われ、特に、冬季に肩口から冷たい夜気の侵入を防止することができ、快適な睡眠の得ることができる。また、寝返りも楽に打つことができ、その結果、前記マイナスイオン吸収効果と相俟って使用者の精神を鎮めて深い眠りを与え、心地よい目覚めをもたらすことになる。
【産業上の利用可能性】
【００３２】
　本考案の枕の特殊形状とマイナスイオン吸収効果、遠赤外線効果、脱臭効果あるいは除菌効果により使用者に安眠を与え、健康増進に寄与する。
【図面の簡単な説明】
【００３３】
【図１】本考案の枕の斜視図
【図２】図１の部分拡大断面図
【符号の説明】
【００３４】
(A)  枕
(1)  枕布
(7)  詰め物
(10)(11)　長辺が
(12)中央部分
(13)両側の部分
(14)凸湾曲している部分
(T1)(T2)　厚み
【図１】
0003100315.tif 000003
【図２】
0003100315.tif 000004